(57)【要約】【課題】無線通信端末から新たなＱｏＳの設定要求を受信した際、基地局のＱｏＳリソースが不足している場合においても、新たなＱｏＳの設定要求をした無線通信端末にＱｏＳリソースを割り当てることができる通信制御装置および通信制御方法を提供する。【解決手段】基地局割当制御部１５０ｃは、新たに無線通信端末からＱｏＳの設定要求を受信した際、ＱｏＳリソース記憶部１８０ｂで管理しているＱｏＳリソースに基づいて、当該ＱｏＳの設定要求に対するＱｏＳリソースの割り当てが十分でないと判断した場合、端末情報記憶部１８０ａで管理している無線通信端末の中から所定の無線通信端末をハンドオフ可能な他の基地局またはセクタへハンドオフさせ、ハンドオフさせた無線通信端末のＱｏＳリソースを、ＱｏＳの設定要求をした無線通信端末に割り当てる。【選択図】図１
2008252372.tif 000002
【特許請求の範囲】
【請求項１】
無線通信端末から該無線通信端末の受信状況を報告するメッセージを受信し、該メッセージに基づいてハンドオフ可能な基地局またはセクタを前記無線通信端末に割り当てる割当手段と、
無線通信端末毎に前記割当手段が割り当てているハンドオフ可能な基地局またはセクタを管理する管理手段と、
無線通信端末からＱｏＳの設定要求を受信し、該ＱｏＳの設定要求に応じてＱｏＳリソースを割り当てるＱｏＳリソース割当手段と、
前記リソース割当手段が割り当てているＱｏＳリソースを管理するＱｏＳリソース管理手段と、
新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、前記管理手段が管理している無線通信端末の中から所定の無線通信端末をハンドオフ可能な他の基地局またはセクタへハンドオフさせるように制御する制御手段と、
を備えた通信制御装置。
【請求項２】
前記制御手段は、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、前記管理手段が管理している無線通信端末の中から基地局またはセクタ数が最も多い無線通信端末を、ハンドオフ可能な他の基地局またはセクタへハンドオフさせることを特徴とする請求項１に記載の通信制御装置。
【請求項３】
前記制御手段は、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、前記無線通信端末の受信状況を報告するメッセージに基づいて、ＱｏＳリソースを割り当てている無線通信端末のうち受信電界強度が所定の閾値よりも低い無線通信端末をハンドオフ可能な他の基地局またはセクタへハンドオフさせることを特徴とする請求項１に記載の通信制御装置。
【請求項４】
前記制御手段は、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、前記無線通信端末の受信状況を報告するメッセージに基づいて、ハンドオフ可能な基地局またはセクタの受信電界強度が所定の閾値を超える無線通信端末をハンドオフ可能な他の基地局またはセクタへハンドオフさせることを特徴とする請求項１に記載の通信制御装置。
【請求項５】
前記制御手段は、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、当該ＱｏＳの設定要求に対するＱｏＳの優先度よりもＱｏＳの優先度が低い無線通信端末をハンドオフ可能な他の基地局またはセクタへハンドオフさせることを特徴とする請求項１に記載の通信制御装置。
【請求項６】
前記制御手段は、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、ＱｏＳレートが所定の閾値よりも高い無線通信端末をハンドオフ可能な他の基地局またはセクタへハンドオフさせることを特徴とする請求項１に記載の通信制御装置。
【請求項７】
前記制御手段は、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、前記無線通信端末の受信状況を報告するメッセージに基づいて、前記無線通信端末の受信状況の変動が少ない無線通信端末をハンドオフ可能な他の基地局またはセクタへハンドオフさせることを特徴とする請求項１に記載の通信制御装置。
【請求項８】
新たに無線通信端末からＱｏＳの設定要求を受信した際、当該ＱｏＳの設定要求に対するＱｏＳリソースの割り当てが十分でないと判断した場合、他の無線通信端末の中から所定の無線通信端末をハンドオフ可能な他の基地局またはセクタへハンドオフさせるように制御する通信制御装置の通信制御方法。
【請求項９】
無線通信端末から該無線通信端末の受信状況を報告するメッセージを受信し、該メッセージに基づいてハンドオフ可能な基地局またはセクタを前記無線通信端末に割り当てる割当手段と、
無線通信端末からＱｏＳの設定要求を受信し、該ＱｏＳの設定要求に応じてＱｏＳリソースを割り当てるＱｏＳリソース割当手段と、
無線通信端末毎に前記割当手段が割り当てている通信可能な基地局またはセクタ、およびＱｏＳリソース割当手段が割り当てているＱｏＳリソースを管理する管理手段と、
前記リソース割当手段が割り当てている全体のＱｏＳリソースを管理するＱｏＳリソース管理手段と、
新たに無線通信端末からＱｏＳの設定要求を受信した際、前記ＱｏＳリソース管理手段が管理している全体のＱｏＳリソースに基づいて、当該ＱｏＳの設定要求に対するＱｏＳリソースの割り当てが十分でないと判断した場合、前記管理手段が管理している無線通信端末の中から、ＱｏＳリソースを割り当てているが、ＱｏＳを利用した通信を行っていない無線通信端末に割り当てているハンドオフ可能な基地局またはセクタを解放するように制御する制御手段と、
を備えた通信制御装置。
【請求項１０】
前記制御手段は、前記管理手段が管理している無線通信端末の中から、ＱｏＳリソースを割り当てているが、ＱｏＳを利用した通信を行っていない無線通信端末のうち、所定の閾値よりも高いＱｏＳレートを割り当てている無線通信端末に割り当てているハンドオフ可能な基地局またはセクタを解放することを特徴とする請求項９に記載の通信制御装置。
【請求項１１】
新たに無線通信端末からＱｏＳの設定要求を受信した際、当該ＱｏＳの設定要求に対するＱｏＳリソースの割り当てが十分でないと判断した場合、他の無線通信端末の中から、ＱｏＳリソースを割り当てているが、ＱｏＳを利用した通信を行っていない無線通信端末に割り当てているハンドオフ可能な基地局またはセクタを解放するように制御する通信制御装置の通信制御方法。
【請求項１２】
無線通信端末から該無線通信端末の受信状況を報告するメッセージに基づいて通信チャネルを前記無線通信端末に割り当てる割当手段と、
無線通信端末からＱｏＳの設定要求を受信し、該ＱｏＳの設定要求に応じてＱｏＳリソースを割り当てるＱｏＳリソース割当手段と、
無線通信端末毎にＱｏＳリソース割当手段が割り当てているＱｏＳリソースを管理する管理手段と、
前記リソース割当手段が割り当てている基地局全体のＱｏＳリソースを管理するＱｏＳリソース管理手段と、
新たに無線通信端末からＱｏＳの設定要求を受信した際、前記ＱｏＳリソース管理手段が管理している基地局全体のＱｏＳリソースに基づいて、当該ＱｏＳの設定要求に対するＱｏＳリソースの割り当てが十分でないと判断した場合、前記管理手段が管理している無線通信端末の中から、ＱｏＳリソースを割り当てているが、ＱｏＳを利用した通信を行っていない無線通信端末の通信チャネルまたはＱｏＳリソースを解放するように制御する制御手段と、
を備えた通信制御装置。
【請求項１３】
前記制御手段は、前記管理手段が管理している無線通信端末の中から、ＱｏＳリソースを割り当てているが、ＱｏＳを利用した通信を行っていない無線通信端末のうち、所定の閾値よりも高いＱｏＳレートを割り当てている無線通信端末の通信チャネルまたはＱｏＳリソースを解放することを特徴とする請求項１２に記載の通信制御装置。
【請求項１４】
新たに無線通信端末からＱｏＳの設定要求を受信した際、当該ＱｏＳの設定要求に対するＱｏＳリソースの割り当てが十分でないと判断した場合、他の無線通信端末の中から、ＱｏＳリソースを割り当てているが、ＱｏＳを利用した通信を行っていない無線通信端末の通信チャネルまたはＱｏＳリソースを解放するように制御する通信制御装置の通信制御方法。
【発明の詳細な説明】
【技術分野】
【０００１】
本発明は、移動体通信システムにおける通信制御装置および通信制御方法に関するものである。
【背景技術】
【０００２】
ＣＤＭＡ(Code Division Multiple Access)方式を用いた移動体通信システムでは、ＩＰ−ＶＴ（Ｖｉｄｅｏ  Ｔｅｌｅｐｈｏｎｙ）電話等のアプリケーションにおいて送受信される動画像データを含むデータ伝送の方式として、一般的に、複数の方式が採用および導入されている。
例えば、ＣＤＭＡ２０００では、データ伝送の方式として、回線交換を用いる通信方式（ＣＤＭＡ２０００  １ｘ）、パケット交換方式を用いて、上り方向：１５３．６ｋｂｐｓ、下り方向：約２．４Ｍｂｐｓのデータレート（伝送速度）を実現する通信方式（ＣＤＭＡ２０００  １ｘ  ＥＶ−ＤＯ  Ｒｅｖ．０）、および前記Ｒｅｖ．０の通信方式をさらに高速化して、上り方向：約１．８Ｍｂｐｓ、下り方向：約３．１Ｍｂｐｓのデータレート（伝送速度）を実現する通信方式（ＣＤＭＡ２０００  １ｘ  ＥＶ−ＤＯ  Ｒｅｖ．Ａ）が規定されている（例えば非特許文献１および非特許文献２参照）。
また、ＣＤＭＡ２０００  １ｘ  ＥＶ−ＤＯ  Ｒｅｖ．Ａのもう１つの特徴として、ＱｏＳ（Quality of Service）を制御する機能が追加されたことが挙げられる。
【０００３】
図１９に例示する移動体通信システムでは、無線通信端末（ＡＴ:Access terminal）は、パイロット信号の受信強度等の変化に応じて、通信相手の基地局（ＡＮ：Acsess Network）を切り換えるハンドオフを行うが、このようなハンドオフには、同一基地局制御局（ＰＣＦ：Packet Control Function ）配下の基地局（ＡＮ）間のハンドオフ（以下、ＡＮ間ハンドオフという）と、異なる基地局制御局（ＰＣＦ：Packet Control Function ）配下の基地局（ＡＮ）間のハンドオフ（以下、ＰＣＦ間ハンドオフという）とがある。具体的には、ＡＮ間ハンドオフとは、図１９に示す無線通信端末（ＡＴ）１０ａが、同一基地局制御局（ＰＣＦ）３０ａの配下の基地局（ＡＮ）２１ａから基地局（ＡＮ）２２ａにハンドオフすることであり、ＰＣＦ間ハンドオフとは、無線通信端末（ＡＴ）１０ｂが、基地局制御局（ＰＣＦ）３０ａの配下の基地局（ＡＮ）２３ａから基地局制御局（ＰＣＦ）３０ｂの配下の基地局（ＡＮ）２１ｂにハンドオフすることである。
【０００４】
ＥＶ−ＤＯのＱｏＳ技術では、Traffic Channel Assignmentメッセージにより無線通信端末に通信可能な基地局またはセクタが割り当てられると、無線通信端末に割り当てられた基地局またはセクタの基地局（Ａｃｔｉｖｅ  Ｓｅｔ、以下、Ａｓｅｔという）は、当該無線通信端末のためにＱｏＳリソースを確保することが考えられる。
例えば、図７に示すように、ＱｏＳリソースを保証されている無線通信端末ＡＴ１が移動して、基地局ＡＮαおよび基地局ＡＮβの双方と通信可能な状態（以下、２Ｗａｙ状態という）になった場合、基地局ＡＮαおよび基地局ＡＮβのそれぞれが無線通信端末ＡＴ１のためにＱｏＳリソースを確保することが考えられる。通常、無線通信端末がハンドオフを行う際には２Ｗａｙ状態になり、２Ｗａｙ状態では、無線通信端末は、「ＤＲＣ（Data Rate Control bit ）Ｃｏｖｅｒ」で指定しているどちらか一方の基地局のみと通信している。
【非特許文献１】”cdma2000 High Rate Packet Data Air Interface 3GPP2 C.S0024 Version 4.0”、３ＧＰＰ２、２００２年１０月（Section 8.5.6.1、Section 9.3.1.3.2.3.2）
【非特許文献２】”cdma2000 High Rate Packet Data Air Interface 3GPP2 C.S0024-A Version 2.0”、３ＧＰＰ２、２００５年７月（Section 13.2.1.3.1.1、Section 13.3.1.3.1.1）
【発明の開示】
【発明が解決しようとする課題】
【０００５】
無線通信端末が２Ｗａｙ状態になった場合、その無線通信端末が実際に通信する基地局は何れか一方のみであるため、その無線通信端末と通信しない方の基地局はＱｏＳリソースを無駄に確保することが想定される。そのために基地局のＱｏＳリソースが不足すると、通信する無線通信端末の数が増加した場合、基地局が無線通信端末に低レートのＱｏＳを割り当てたり、ＱｏＳの設定要求を拒否することがある。
【０００６】
例えば、図２に示すように、無線通信端末ＡＴ１がハンドオフ中であり、基地局ＡＮαおよび基地局ＡＮβが、共に無線通信端末ＡＴ１のために高レートのＱｏＳを確保しているときに、基地局ＡＮαの通信可能エリア内部の無線通信端末ＡＴ２から、高レートのＱｏＳ要求を伴う新たな呼接続要求があった場合を想定する。この場合、基地局ＡＮαは、基地局ＡＮαのＱｏＳリソースの残量に余裕があれば、無線通信端末ＡＴ２に高レートのＱｏＳを割り当てることができ、問題は生じない。
【０００７】
図２０は、無線通信端末ＡＴ２に低レートのＱｏＳを割り当てたときの状態を示す図である。基地局ＡＮαは、無線通信端末ＡＴ１、ＡＴ３、ＡＴ４に高レートのＱｏＳを割り当てており、ＱｏＳのリソースが不足しているために、低レートのＱｏＳしか確保できないときは、図２２のフローチャートのステップ６００、６１０、６３０、６４０を実行して、無線通信端末ＡＴ２に低レートのＱｏＳを割り当てる。図２１は、無線通信端末ＡＴ２のＱｏＳ要求を拒否したときの状態を示す図である。基地局ＡＮαは、ＱｏＳのリソースがさらに不足して、無線通信端末ＡＴ２のＱｏＳを確保できないときは、図２２のフローチャートのステップ６００、６１０、６３０、６５０を実行して、無線通信端末ＡＴ２のＱｏＳ要求を拒否する。なお、図２、図２０、図２１において、通信可能エリアの外側に示されたボックスは、各基地局のリソース量を表しており、斜線の部分がＱｏＳのリソース残量を表している。
【０００８】
図２３は、無線通信端末ＡＴ２に低レートのＱｏＳを割り当てるときの無線通信端末ＡＴ２と基地局ＡＮαの動作を説明するシーケンス図である。無線通信端末ＡＴ２と基地局ＡＮαとの間でコネクションを確立後、無線通信端末ＡＴ２が、Attribute Update Requestメッセージのプロファイル（Profile）ＩＤにより、基地局ＡＮαに高、低レートのＱｏＳを要求すると、基地局ＡＮαは、ＱｏＳ割り当ての判定を行う。基地局ＡＮαは、ＱｏＳのリソースが不足しており、低レートのＱｏＳしか確保できないので、高レート割り当てを不可能と判定し、低レート割り当てを可能と判定して、Attribute Update Requestメッセージのプロファイル（Profile）ＩＤを「低レート」として、無線通信端末ＡＴ２に低レートのＱｏＳを割り当てる。
【０００９】
図２４は、無線通信端末ＡＴ２のＱｏＳ要求を拒否するときの無線通信端末ＡＴ２および基地局ＡＮαの動作を説明するシーケンス図である。無線通信端末ＡＴ２と基地局ＡＮαとの間でコネクションを確立後、無線通信端末ＡＴ２が、Attribute Update Requestメッセージのプロファイル（Profile）ＩＤにより、基地局ＡＮαに高、低レートのＱｏＳを要求すると、基地局ＡＮαは、ＱｏＳ割り当ての判定を行う。基地局ＡＮαは、ＱｏＳのリソースが不足しており、ＱｏＳを確保できないので、高レート割り当てを不可能と判定し、さらに低レート割り当てを不可能と判定して、Attribute Update Requestメッセージのプロファイル（Profile）ＩＤを「なし」として、無線通信端末ＡＴ２のＱｏＳ要求を拒否する。
【００１０】
上述したように、Ａｓｅｔを複数有する無線通信端末が所属している基地局に対して、無線通信端末からＱｏＳの設定要求があると、基地局は、基地局のＱｏＳのためのリソースが少ない場合は、ＱｏＳの設定要求があった無線通信端末に低レートのＱｏＳを割り当てたり、ＱｏＳの設定要求を拒否することが考えられる。
【００１１】
また、図７に示すように、無線通信端末ＡＴ１がハンドオフ中であり、基地局ＡＮαおよび基地局ＡＮβが、共に無線通信端末ＡＴ１のために高レートのＱｏＳを確保しているときに、図８に示すように、ＱｏＳが保証されている無線通信端末ＡＴ２が、ハンドオフにより無線通信端末ＡＴ２のＡｓｅｔに基地局ＡＮβを追加した場合を想定する。この場合、基地局ＡＮβは、図２７のフローチャートに示すように、基地局ＡＮαまたは基地局制御局（ＰＣＦ）から、ハンドオフする無線通信端末ＡＴ２のＱｏＳ確保要求があると（ステップ７００）、基地局ＡＮβのＱｏＳリソースの残量に余裕があり、無線通信端末ＡＴ２に高レートのＱｏＳを割り当て可能であれば（ステップ７１０）、無線通信端末ＡＴ２に高レートのＱｏＳを割り当てることができ（ステップ７２０）、問題は生じない。なお、ステップ７２０の後、ステップ７３０に進んで、ＱｏＳ確保要求があった基地局ＡＮαまたは基地局制御局（ＰＣＦ）に割り当て結果を報告する。
【００１２】
図２５は、無線通信端末ＡＴ２がハンドオフしたときに無線通信端末ＡＴ２に低レートのＱｏＳを割り当てたときの状態を示す図である。基地局ＡＮβは、無線通信端末ＡＴ１、ＡＴ３、ＡＴ４、ＡＴ５に高レートのＱｏＳを割り当てており、ＱｏＳのリソースが不足しているため、低レートのＱｏＳしか確保できないときは、図２７のフローチャートのステップ７００、７１０、７４０、７５０を実行して、無線通信端末ＡＴ２に低レートのＱｏＳを割り当てる。図２６は、無線通信端末ＡＴ２のＱｏＳ要求を拒否したときの状態を示す図である。基地局ＡＮβは、無線通信端末ＡＴ１、ＡＴ３、ＡＴ４、ＡＴ５に高レートのＱｏＳを割り当てており、ＱｏＳのリソースが不足しているため、無線通信端末ＡＴ２のＱｏＳを確保できないときは、図２７のフローチャートのステップ７００、７１０、７４０、７６０を実行して、無線通信端末ＡＴ２のＱｏＳ要求を拒否する。なお、ステップ７５０、７６０の後は、ステップ７３０に進んで、ＱｏＳ確保要求があった基地局ＡＮαまたは基地局制御局（ＰＣＦ）に割り当て結果を報告する。
【００１３】
基地局ＡＮαは、図２８のフローチャートに示すように、無線通信端末ＡＴ２からハンドオフの要求があると（ステップ８００）、無線通信端末ＡＴ２が要求した基地局ＡＮβを、無線通信端末ＡＴ２のＡｓｅｔに追加し（ステップ８１０）、Ａｓｅｔに追加した基地局ＡＮβにＱｏＳの確保を要求する（ステップ８２０）。基地局ＡＮβからＱｏＳの割り当て結果を受け取ると（ステップ８３０）、結果に応じて、無線通信端末ＡＴ２にＱｏＳリソースの再割り当てを行う（ステップ８４０）。
【００１４】
図２９は、無線通信端末ＡＴ２に低レートのＱｏＳを割り当てるときの無線通信端末ＡＴ２と基地局ＡＮαと基地局ＡＮβの動作を説明するシーケンス図である。無線通信端末ＡＴ２は、基地局ＡＮαとの間でコネクションを確立し、さらに、高レートのＱｏＳを確立した後、基地局ＡＮαに、基地局ＡＮαおよび基地局ＡＮβを含むRoute Updateメッセージを送信してハンドオフ要求を行う。基地局ＡＮαは、Route Updateメッセージを受信して、無線通信端末ＡＴ２のＡｓｅｔに基地局ＡＮβを追加することを決定すると、基地局ＡＮβにＱｏＳ要求を行うとともに、基地局ＡＮαおよび基地局ＡＮβを含むTraffic Channel Assignmentメッセージを無線通信端末ＡＴ２に送信する。無線通信端末ＡＴ２は、このメッセージを受信して無線通信端末ＡＴ２のＡｓｅｔに基地局ＡＮβを追加する。
【００１５】
また、基地局ＡＮβは、基地局ＡＮαからＱｏＳ要求があると、ＱｏＳ割り当ての判定を行う。基地局ＡＮβは、ＱｏＳのリソースが不足しており、低レートのＱｏＳしか確保できないので、高レート割り当てを不可能と判定し、低レート割り当てを可能と判定して、Attribute Update Requestメッセージのプロファイル（Profile）ＩＤを「低レート」として、無線通信端末ＡＴ２に低レートのＱｏＳを割り当てる。低レート割り当てのAttribute Update Requestメッセージは、通信中の基地局（ＡＮαおよびＡＮβのいずれか）が送信する。また、基地局ＡＮβは、基地局ＡＮαに無線通信端末ＡＴ２のために低レートのＱｏＳを確保したことを通知し、基地局ＡＮαは、無線通信端末ＡＴ２のＱｏＳレートを低レートに変更する。
【００１６】
図３０は、無線通信端末ＡＴ２のＱｏＳ要求を拒否するときの無線通信端末ＡＴ２と基地局ＡＮαと基地局ＡＮβの動作を説明するシーケンス図である。無線通信端末ＡＴ２は、基地局ＡＮαとの間でコネクションを確立し、さらに、高レートのＱｏＳを確立した後、基地局ＡＮαに、基地局ＡＮαおよび基地局ＡＮβを含むRoute Updateメッセージを送信してハンドオフ要求を行う。基地局ＡＮαは、Route Updateメッセージを受信して、無線通信端末ＡＴ２のＡｓｅｔに基地局ＡＮβを追加することを決定すると、基地局ＡＮβにＱｏＳ要求を行うとともに、基地局ＡＮαおよび基地局ＡＮβを含むTraffic Channel Assignmentメッセージを無線通信端末ＡＴ２に送信する。無線通信端末ＡＴ２は、このメッセージを受信して無線通信端末ＡＴ２のＡｓｅｔに基地局ＡＮβを追加する。
【００１７】
また、基地局ＡＮβは、基地局ＡＮαからＱｏＳ要求があると、ＱｏＳ割り当ての判定を行う。基地局ＡＮβは、ＱｏＳのリソースが不足しており、ＱｏＳを確保できないので、高レート割り当てを不可能と判定し、さらに低レート割り当てを不可能と判定して、Attribute Update Requestメッセージのプロファイル（Profile）ＩＤを「なし」として、無線通信端末ＡＴ２のＱｏＳ要求を拒否する。ＱｏＳ拒否のAttribute Update Requestメッセージは、通信中の基地局（ＡＮαおよびＡＮβのいずれか）が送信する。また、基地局ＡＮβは、基地局ＡＮαに無線通信端末ＡＴ２のＱｏＳリソースを開放するように通知し、基地局ＡＮαは、無線通信端末ＡＴ２のＱｏＳリソースを開放する。
【００１８】
上述したように、ＱｏＳ通信中の無線通信端末がハンドオフでＡｓｅｔを追加する場合に、追加対象となる基地局のＱｏＳリソースが足りない場合は、無線通信端末に低レートのＱｏＳを割り当てたり、ＱｏＳの設定要求を拒否することが考えられる。
【００１９】
本発明は、このような問題点に鑑みてなされたものであり、本発明の目的は、無線通信端末から新たなＱｏＳの設定要求を受信した際、基地局のＱｏＳリソースが不足している場合においても、新たなＱｏＳの設定要求をした無線通信端末にＱｏＳリソースを割り当てることができる通信制御装置および通信制御方法を提供することにある。
【課題を解決するための手段】
【００２０】
上記目的を達成するため、本発明の通信制御装置は、無線通信端末から該無線通信端末の受信状況を報告するメッセージを受信し、該メッセージに基づいてハンドオフ可能な基地局またはセクタを前記無線通信端末に割り当てる割当手段と、無線通信端末毎に前記割当手段が割り当てているハンドオフ可能な基地局またはセクタを管理する管理手段と、無線通信端末からＱｏＳの設定要求を受信し、該ＱｏＳの設定要求に応じてＱｏＳリソースを割り当てるＱｏＳリソース割当手段と、前記リソース割当手段が割り当てているＱｏＳリソースを管理するＱｏＳリソース管理手段と、新たに無線通信端末からＱｏＳの設定要求を受信した際、前記ＱｏＳリソース管理手段が管理しているＱｏＳリソースに基づいて、当該ＱｏＳの設定要求に対するＱｏＳリソースの割り当てが十分でないと判断した場合、前記管理手段が管理している無線通信端末の中から所定の無線通信端末をハンドオフ可能な他の基地局またはセクタへハンドオフさせるように制御する制御手段とを備えることを特徴とする。
【００２１】
また、本発明の通信制御方法は、新たに無線通信端末からＱｏＳの設定要求を受信した際、当該ＱｏＳの設定要求に対するＱｏＳリソースの割り当てが十分でないと判断した場合、他の無線通信端末の中から所定の無線通信端末をハンドオフ可能な他の基地局またはセクタへハンドオフさせるように制御することを特徴とする。
【００２２】
また、本発明の通信制御装置は、無線通信端末から該無線通信端末の受信状況を報告するメッセージを受信し、該メッセージに基づいてハンドオフ可能な基地局またはセクタを前記無線通信端末に割り当てる割当手段と、無線通信端末からＱｏＳの設定要求を受信し、該ＱｏＳの設定要求に応じてＱｏＳリソースを割り当てるＱｏＳリソース割当手段と、無線通信端末毎に前記割当手段が割り当てている通信可能な基地局またはセクタ、およびＱｏＳリソース割当手段が割り当てているＱｏＳリソースを管理する管理手段と、前記リソース割当手段が割り当てている全体のＱｏＳリソースを管理するＱｏＳリソース管理手段と、新たに無線通信端末からＱｏＳの設定要求を受信した際、前記ＱｏＳリソース管理手段が管理している全体のＱｏＳリソースに基づいて、当該ＱｏＳの設定要求に対するＱｏＳリソースの割り当てが十分でないと判断した場合、前記管理手段が管理している無線通信端末の中から、ＱｏＳリソースを割り当てているが、ＱｏＳを利用した通信を行っていない無線通信端末に割り当てているハンドオフ可能な基地局またはセクタを解放するように制御する制御手段とを備えることを特徴とする。
【００２３】
また、本発明の通信制御方法は、新たに無線通信端末からＱｏＳの設定要求を受信した際、当該ＱｏＳの設定要求に対するＱｏＳリソースの割り当てが十分でないと判断した場合、他の無線通信端末の中から、ＱｏＳリソースを割り当てているが、ＱｏＳを利用した通信を行っていない無線通信端末に割り当てているハンドオフ可能な基地局またはセクタを解放するように制御すること特徴とする。
【００２４】
また、本発明の通信制御装置は、無線通信端末から該無線通信端末の受信状況を報告するメッセージに基づいて通信チャネルを前記無線通信端末に割り当てる割当手段と、無線通信端末からＱｏＳの設定要求を受信し、該ＱｏＳの設定要求に応じてＱｏＳリソースを割り当てるＱｏＳリソース割当手段と、無線通信端末毎にＱｏＳリソース割当手段が割り当てているＱｏＳリソースを管理する管理手段と、前記リソース割当手段が割り当てている基地局全体のＱｏＳリソースを管理するＱｏＳリソース管理手段と、新たに無線通信端末からＱｏＳの設定要求を受信した際、前記ＱｏＳリソース管理手段が管理している基地局全体のＱｏＳリソースに基づいて、当該ＱｏＳの設定要求に対するＱｏＳリソースの割り当てが十分でないと判断した場合、前記管理手段が管理している無線通信端末の中から、ＱｏＳリソースを割り当てているが、ＱｏＳを利用した通信を行っていない無線通信端末の通信チャネルまたはＱｏＳリソースを解放するように制御する制御手段とを備えることを特徴とする。
【００２５】
また、本発明の通信制御方法は、新たに無線通信端末からＱｏＳの設定要求を受信した際、当該ＱｏＳの設定要求に対するＱｏＳリソースの割り当てが十分でないと判断した場合、他の無線通信端末の中から、ＱｏＳリソースを割り当てているが、ＱｏＳを利用した通信を行っていない無線通信端末の通信チャネルまたはＱｏＳリソースを解放するように制御することを特徴とする。
【発明の効果】
【００２６】
本発明は、無線通信端末から新たなＱｏＳの設定要求を受信した際、基地局のＱｏＳリソースが不足している場合においても、新たなＱｏＳの設定要求をした無線通信端末に、基地局において通信に影響のない無線通信端末に確保していたＱｏＳリソースを割り当てることができるので、基地局のＱｏＳリソースを有効に利用できる。
【発明を実施するための最良の形態】
【００２７】
本発明の実施の形態について図面を参照して説明する。図１は、本発明の第１実施形態の移動体通信システムにおいて、通信制御装置として用いられる基地局１００の構成を示すブロック図である。なお、以下の説明においては、２つの基地局１００を基地局ＡＮα、基地局ＡＮβということにする。本実施の形態の基地局１００は、アンテナ１１０を用いて、ＣＤＭＡ２０００  １ｘ  ＥＶ−ＤＯの通信方式（以下、ＥＶ−ＤＯシステムという）の通信方式の基地局とデータ通信を行い得るように構成されており、ＣＤＭＡ２０００  １ｘ  ＥＶ−ＤＯの通信方式に関しては、ＣＤＭＡ２０００  １ｘ  ＥＶ−ＤＯ  Ｒｅｖ．０およびＣＤＭＡ２０００  １ｘ  ＥＶ−ＤＯ  Ｒｅｖ．Ａの双方に対応しており、もしくは、ＣＤＭＡ２０００  １ｘ  ＥＶ−ＤＯ  Ｒｅｖ．Ａのみに対応している。
【００２８】
基地局１００は、アンテナ１１０の他に、ＥＶ−ＤＯ用ＲＦ部１３０、ＲＦ制御部１４０、システム制御部１５０およびシステム記憶部１８０等を有しており、ＲＦ制御部１４０は、受信部１４０ａおよび送信部１４０ｂを有しており、システム制御部１５０は、基地局割当部（割当手段）１５０ａ、ＱｏＳリソース割当部（ＱｏＳリソース割当手段）１５０ｂおよび基地局割当制御部（制御手段）１５０ｃを有しており、システム記憶部１８０は、端末情報記憶部（管理手段）１８０ａおよびＱｏＳリソース記憶部（ＱｏＳリソース管理手段）１８０ｂを有している。なお、ＰＣＦや他の基地局等への接続図については省略している。
【００２９】
ＥＶ−ＤＯ用ＲＦ部１３０は、ＥＶ−ＤＯシステムで送信するデータを高周波信号に変換してアンテナ１１０から送信したり、アンテナ１１０から入力されたデータを高周波信号に変換したりするものである。
【００３０】
ＲＦ制御部１４０は、ＥＶ−ＤＯシステムの通信（送受信）を制御したり、アンテナで受信した無線通信端末からの電波の強度（ＲＳＳＩ等）を測定したりするものである。また、ＥＶ−ＤＯ用ＲＦ部１３０から入力される高周波信号およびＥＶ−ＤＯ用ＲＦ部１３０へ出力する高周波信号に対応して受信部１４０ａおよび送信部１４０ｂとして機能する。また、無線通信端末からＱｏＳの設定要求を受信する。
【００３１】
システム制御部１５０は、基地局装置１００の各部を統括して制御する制御部である。基地局割当部１５０ａは、無線通信端末から該無線通信端末の受信状況を報告するRoute Updateメッセージを受信し、該メッセージに基づいてハンドオフ可能な基地局またはセクタ（Ａｃｔｉｖｅ  Ｓｅｔ）を該無線通信端末に割り当て、ＱｏＳリソース割当部１５０ｂは、無線通信端末からＱｏＳの設定要求を受信し、該ＱｏＳの設定要求に応じてＱｏＳリソースを割り当てる。
【００３２】
基地局割当制御部１５０ｃは、新たに無線通信端末からＱｏＳの設定要求を受信した際、ＱｏＳリソース記憶部１８０ｂで管理しているＱｏＳリソースに基づいて、ＱｏＳの設定要求に対するＱｏＳリソースの割り当てが十分でないと判断した場合、端末情報記憶部１８０ａで管理している無線通信端末の中から所定の無線通信端末をハンドオフ可能な他の基地局またはセクタへハンドオフさせるように制御する。
【００３３】
システム記憶部１８０は、ＲＡＭ等のメモリによって構成され、アプリケーションプログラムや一時的なデータ等を保存するものである。端末情報記憶部１８０ａは、無線通信端末毎に基地局割当部１５０ａが割り当てているハンドオフ可能な基地局またはセクタを管理する端末管理テーブルを記憶しており、端末管理テーブルは、新たに無線通信端末からＱｏＳの設定要求を受信した際、基地局割当制御部１５０ｃが、ＱｏＳの設定要求に対するＱｏＳリソースの割り当てが十分でないと判断した場合に、ハンドオフさせる無線通信端末の選択するために使用される。また、ＱｏＳリソース記憶部１８０ｂは、ＱｏＳリソース割当部１５０ｂが割り当てているＱｏＳリソースを管理する。
【００３４】
次に、第１実施形態の移動体通信システムに係る第１の実施例について説明する。図２に示すように、無線通信端末ＡＴ１が、ハンドオフ中であり、無線通信端末ＡＴ１のＡＳｅｔには基地局ＡＮαと基地局ＡＮβが割り当てられており、また、基地局ＡＮαおよび基地局ＡＮβは、共に無線通信端末ＡＴ１のために高レートのＱｏＳを確保している。第１の実施例は、このような状態において、基地局ＡＮαに対し、通信可能エリア内部の無線通信端末ＡＴ２から、ＱｏＳの設定要求を伴う新たな呼接続要求があったときに、基地局ＡＮαのＱｏＳリソースが少ない場合は、図３に示すように、無線通信端末ＡＴ２のためのＱｏＳリソースを確保するため、Ａｓｅｔに割り当てられた基地局が複数ある無線通信端末ＡＴ１にハンドオフを指示して、無線通信端末ＡＴ１を基地局ＡＮβにハンドオフさせるものである。
【００３５】
基地局ＡＮαは、無線通信端末ＡＴ１を基地局ＡＮβにハンドオフさせることによって、無線通信端末ＡＴ１に割り当てていたＱｏＳリソースを開放することができ、ＱｏＳリソースが回復するので、図４に示すように、無線通信端末ＡＴ２のために高レートのＱｏＳを割り当てることができる。
【００３６】
図５は、無線通信端末ＡＴ２と無線通信端末ＡＴ１と基地局ＡＮαと基地局ＡＮβの動作を説明するシーケンス図である。無線通信端末ＡＴ２が、基地局ＡＮαにConnection Requestメッセージを送信すると、基地局ＡＮαは、通信可能な基地局またはセクタを無線通信端末に割り当てるTraffic Channel Assignmentメッセージに基地局ＡＮαを含めて無線通信端末ＡＴ２に送信する。無線通信端末ＡＴ２は、このメッセージを受信して無線通信端末ＡＴ２のＡｓｅｔに基地局ＡＮαを割り当てている。無線通信端末ＡＴ２が、Attribute Update Requestメッセージのプロファイル（Profile）ＩＤにより、基地局ＡＮαに高、低レートのＱｏＳの設定要求をすると、基地局ＡＮαは、ＱｏＳ割り当ての判定を行う。基地局ＡＮαは、ＱｏＳリソース記憶部１８０ｂで管理しているＱｏＳリソースに基づいて、ＱｏＳの設定要求に対するＱｏＳリソースの割り当てが十分でない（不足する）と判断すると、端末管理テーブルから、Ａｓｅｔに割り当てられた基地局が複数ある無線通信端末を検索する。基地局ＡＮαは、Ａｓｅｔに割り当てられた基地局が複数ある無線通信端末ＡＴ１を発見したならば、無線通信端末ＡＴ１のＡｓｅｔから基地局ＡＮαを外し、ハンドオフ可能な基地局またはセクタを無線通信端末に割り当てるTraffic Channel Assignmentメッセージに基地局ＡＮβを含めて無線通信端末ＡＴ１に送信する。無線通信端末ＡＴ１は、このメッセージを受信すると無線通信端末ＡＴ１のＡｓｅｔに基地局ＡＮβのみを割り当てる。また、基地局ＡＮαは、無線通信端末ＡＴ１のＱｏＳリソースを開放し、ＱｏＳを要求した無線通信端末ＡＴ２に高レートのＱｏＳを割り当て、Attribute Update Requestメッセージのプロファイル（Profile）ＩＤを「高レート」として、無線通信端末ＡＴ２に高レートのＱｏＳを設定する。
【００３７】
図６は、基地局ＡＮαの動作を説明するフローチャートである。基地局ＡＮαは、無線通信端末ＡＴ２からAttribute Update RequestメッセージによりＱｏＳの設定要求があると（ステップ１０１）、ＱｏＳリソース記憶部１８０ｂで管理しているＱｏＳリソースに基づいて、高レートのＱｏＳ割り当てが可能か否かを判定し（ステップ１０２）、高レートのＱｏＳ割り当てが可能であれば、ＱｏＳを要求した無線通信端末ＡＴ２に高レートのＱｏＳを割り当てる（ステップ１０３）。ステップ１０２において、高レートのＱｏＳ割り当てが不可能であれば、端末管理テーブルから、Ａｓｅｔに割り当てられた基地局が複数ある無線通信端末を検索する（ステップ１０４）。ステップ１０５において、Ａｓｅｔに割り当てられた基地局が複数ある無線通信端末ＡＴ１を発見したならば、無線通信端末ＡＴ１のＡｓｅｔから基地局ＡＮαを外して、無線通信端末ＡＴ１を他の基地局ＡＮβにハンドオフさせ（ステップ１０６）、無線通信端末ＡＴ１のＱｏＳリソースを開放する（ステップ１０７）。そして、ＱｏＳを要求した無線通信端末ＡＴ２に高レートのＱｏＳを割り当てる（ステップ１０３）。ステップ１０５において、Ａｓｅｔに割り当てられた基地局が複数ある無線通信端末を発見できなかったならば、低レートのＱｏＳ割り当てが可能か否かを判定し（ステップ１０８）、低レートのＱｏＳ割り当てが可能であれば、ＱｏＳを要求した無線通信端末ＡＴ２に低レートのＱｏＳを割り当てる（ステップ１０９）。ステップ１０８において、低レートのＱｏＳ割り当てが不可能であれば、無線通信端末ＡＴ２のＱｏＳの設定要求を拒否する（ステップ１１０）。
【００３８】
次に、第１実施形態の移動体通信システムに係る第２の実施例について説明する。図７に示すように、無線通信端末ＡＴ１が、ハンドオフ中であり、無線通信端末ＡＴ１のＡｓｅｔには基地局ＡＮαと基地局ＡＮβが割り当てられている。無線通信端末ＡＴ２のＡｓｅｔには基地局ＡＮαが割り当てられている。また、基地局ＡＮαおよび基地局ＡＮβは、共に無線通信端末ＡＴ１のために高レートのＱｏＳを確保している。第２の実施例は、このような状態において、無線通信端末ＡＴ２がハンドオフして、図８に示すように、基地局ＡＮα、ＡＮβと通信可能な状態になったときに、基地局ＡＮβのＱｏＳリソースが少ない場合は、図９に示すように、無線通信端末ＡＴ２のためのＱｏＳリソースを確保するため、Ａｓｅｔに割り当てられた基地局が複数ある無線通信端末ＡＴ１にハンドオフを指示して、無線通信端末ＡＴ１を基地局ＡＮαにハンドオフさせるものである。
【００３９】
基地局ＡＮβは、無線通信端末ＡＴ１を基地局ＡＮαにハンドオフさせることによって、無線通信端末ＡＴ１に割り当てていたＱｏＳリソースを開放することができ、ＱｏＳリソースが回復するので、図１０に示すように、無線通信端末ＡＴ２のために高レートのＱｏＳを割り当てることができる。
【００４０】
図１１は、無線通信端末ＡＴ２と無線通信端末ＡＴ１と基地局ＡＮαと基地局ＡＮβの動作を説明するシーケンス図である。無線通信端末ＡＴ２のＡｓｅｔには基地局ＡＮαが割り当てられており、無線通信端末ＡＴ１のＡｓｅｔには基地局ＡＮαおよび基地局ＡＮβが割り当てられている。無線通信端末ＡＴ２は、基地局ＡＮαとの間でコネクションを確立し、さらに、高レートのＱｏＳを確立した後、基地局ＡＮαに、基地局ＡＮαおよび基地局ＡＮβを含むRoute Updateメッセージを送信してハンドオフの設定要求を行う。基地局ＡＮαは、Route Updateメッセージを受信して、無線通信端末ＡＴ２のＡｓｅｔに基地局ＡＮβを追加することを決定すると、基地局ＡＮβにＱｏＳの設定要求を行うとともに、ハンドオフ可能な基地局またはセクタを前記無線通信端末に割り当てるTraffic Channel Assignmentメッセージに基地局ＡＮαおよび基地局ＡＮβを含めて無線通信端末ＡＴ２に送信する。無線通信端末ＡＴ２は、このメッセージを受信して無線通信端末ＡＴ２のＡｓｅｔに基地局ＡＮβを追加する。
【００４１】
また、基地局ＡＮβは、基地局ＡＮαからＱｏＳの設定要求があると、ＱｏＳ割り当ての判定を行う。基地局ＡＮβは、ＱｏＳリソース記憶部１８０ｂで管理しているＱｏＳリソースに基づいて、ＱｏＳの設定要求に対するＱｏＳリソースの割り当てが十分でない（不足する）と判断すると、端末管理テーブルから、Ａｓｅｔに割り当てられた基地局が複数ある無線通信端末を検索する。基地局ＡＮβは、Ａｓｅｔに割り当てられた基地局が複数ある無線通信端末ＡＴ１を発見したならば、無線通信端末ＡＴ１のＡｓｅｔから基地局ＡＮβを外し、基地局ＡＮαを含むTraffic Channel Assignmentメッセージを無線通信端末ＡＴ１に送信する。無線通信端末ＡＴ１は、このメッセージを受信して無線通信端末ＡＴ１のＡｓｅｔに基地局ＡＮαのみを割り当てる。また、基地局ＡＮβは、無線通信端末ＡＴ１のＱｏＳリソースを開放し、ＱｏＳの設定要求をした無線通信端末ＡＴ２に高レートのＱｏＳを割り当て、基地局ＡＮαに無線通信端末ＡＴ２のために高レートのＱｏＳを確保したことを通知する。
【００４２】
図１２は、基地局ＡＮαの動作を説明するフローチャートである。基地局ＡＮαは、無線通信端末ＡＴ２からRouteUpdateメッセージによりハンドオフの要求があると（ステップ２０１）、無線通信端末ＡＴ２が要求した基地局ＡＮβを、無線通信端末ＡＴ２のＡｓｅｔに追加し（ステップ２０２）、Ａｓｅｔに追加した基地局ＡＮβにＱｏＳの確保を要求する（ステップ２０３）。基地局ＡＮαは、Ａｓｅｔに追加した基地局ＡＮβからＱｏＳの割り当て結果を受け取ると（ステップ２０４）、結果に応じて、無線通信端末ＡＴ２にＱｏＳリソースの再割り当てを行う（ステップ２０５）。
【００４３】
図１３は、基地局ＡＮβの動作を説明するフローチャートである。基地局ＡＮβは、基地局ＡＮαまたは複数の基地局を制御する上位の基地局制御局（ＰＣＦ）から、ハンドオフする無線通信端末ＡＴ２のＱｏＳの確保要求があると（ステップ３０１）、ＱｏＳリソース記憶部１８０ｂで管理しているＱｏＳリソースに基づいて、高レートのＱｏＳ割り当てが可能か否かを判定し（ステップ３０２）、高レートのＱｏＳ割り当てが可能であれば、ＱｏＳを要求した無線通信端末ＡＴ２に高レートのＱｏＳを割り当て（ステップ３０３）、ＱｏＳの確保要求があった基地局ＡＮαに割り当て結果を報告する（ステップ３０４）。ステップ３０２において、高レートのＱｏＳ割り当てが不可能であれば、端末管理テーブルから、Ａｓｅｔに割り当てられた基地局が複数ある無線通信端末を検索する（ステップ３０５）。ステップ３０６において、Ａｓｅｔに割り当てられた基地局が複数ある無線通信端末ＡＴ１を発見したならば、無線通信端末ＡＴ１のＡｓｅｔから基地局ＡＮβを外して、無線通信端末ＡＴ１を他の基地局ＡＮαにハンドオフさせ（ステップ３０７）、無線通信端末ＡＴ１のＱｏＳリソースを開放する（ステップ３０８）。そして、ＱｏＳを要求した無線通信端末ＡＴ２に高レートのＱｏＳを割り当て（ステップ３０３）、ＱｏＳの確保要求があった基地局ＡＮαに割り当て結果を報告する（ステップ３０４）。ステップ３０６において、Ａｓｅｔに割り当てられた基地局が複数ある無線通信端末を発見できなかったならば、低レートのＱｏＳ割り当てが可能か否かを判定し（ステップ３０９）、低レートのＱｏＳ割り当てが可能であれば、ハンドオフする無線通信端末ＡＴ２に低レートのＱｏＳを割り当て（ステップ３１０）、ＱｏＳの確保要求があった基地局ＡＮαに割り当て結果を報告する（ステップ３０４）。ステップ３０９において、低レートのＱｏＳ割り当てが不可能であれば、ハンドオフする無線通信端末ＡＴ２のＱｏＳ要求を拒否し（ステップ３１１）、ＱｏＳの確保要求があった基地局ＡＮαに割り当て結果を報告する（ステップ３０４）。
【００４４】
次に、ハンドオフさせる無線通信端末の選び方について説明する。図１４は、ハンドオフさせる無線通信端末の選ぶために使用される端末情報記憶部１８０ａの端末管理テーブルの一例である。ＱｏＳレートは、基地局が無線通信端末に割り当て、ＡＳｅｔの基地局（α、β・・・）は、基地局が無線通信端末に割り当てる。ＡＳｅｔの基地局（α、β・・・）の電波強度は、基地局がRoute Updateメッセージによって取得可能である。本発明では、これらの情報を入手するために特別なメッセージの追加、変更を必要としない。
【００４５】
基地局の基地局割当制御部１５０ｃは、新たに無線通信端末からＱｏＳの設定要求を受信した際、ＱｏＳリソース記憶部１８０ｂで管理しているＱｏＳリソースに基づいて、ＱｏＳの設定要求に対するＱｏＳリソースの割り当てが十分でない（不足する）と判断した場合、以下の選択方法に従って無線通信端末を選択して、無線通信端末をハンドオフ可能な他の基地局またはセクタへハンドオフさせる。
【００４６】
第１の選択方法は、端末管理テーブルで管理している無線通信端末の中から基地局またはセクタ数が最も多い無線通信端末を、ハンドオフ可能な他の基地局またはセクタへハンドオフさせるものである。基地局またはセクタ数が最も多い無線通信端末をハンドオフさせるのは、他の基地局と安定して通信できる可能性が高いためである。システムにとって、一番多くＱｏＳリソースを占有している無線通信端末でもある。
第２の選択方法は、無線通信端末の受信状況を報告するRoute Updateメッセージに基づいて、ＱｏＳリソースを割り当てている無線通信端末のうち受信電界強度が所定の閾値よりも低い無線通信端末をハンドオフ可能な他の基地局またはセクタへハンドオフさせるものである。受信電界強度が所定の閾値よりも低い無線通信端末は、当該基地局がＡｓｅｔから外れても、もともとこの基地局またはセクタの受信電界強度が低いので、他の基地局またはセクタへハンドオフしても影響は少ないためである。他の基地局またはセクタの方が受信電界強度が良い可能性が高い。
第３の選択方法は、無線通信端末の受信状況を報告するRoute Updateメッセージに基づいて、ハンドオフ可能な基地局またはセクタの受信電界強度が所定の閾値を超える無線通信端末をハンドオフ可能な他の基地局またはセクタへハンドオフさせるものである。解放してもハンドオフ先の基地局で安定して通信ができ、双方の基地局においてシステム利用効率を改善できるためである。
第４の選択方法は、ＱｏＳの設定要求に対するＱｏＳの優先度よりもＱｏＳの優先度が低い無線通信端末をハンドオフ可能な他の基地局またはセクタへハンドオフさせるものである。ＱｏＳの優先度に基づいて無線通信端末を選択することによって、緊急呼などを優先することができるようにするためである。
第５の選択方法は、ＱｏＳレートが所定の閾値よりも高い無線通信端末をハンドオフ可能な他の基地局またはセクタへハンドオフさせるものである。ＱｏＳレートが高い無線通信端末は、空きリソースを多く確保できるためである。
第６の選択方法は、無線通信端末の受信状況を報告するRoute Updateメッセージに基づいて、無線通信端末の受信状況の変動が少ない無線通信端末をハンドオフ可能な他の基地局またはセクタへハンドオフさせるものである。移動していないため、２Ｗａｙでなくとも通信が切れることはないためである。
【００４７】
また、上述した選択方法を複数組み合わせて適用して、無線通信端末を、ハンドオフ可能な他の基地局またはセクタへハンドオフさせてもよいし、複数の選択方法に優先順位を設けて適用して、無線通信端末を、ハンドオフ可能な他の基地局またはセクタへハンドオフさせてもよい。
【００４８】
なお、図１には、移動体通信システムの構成要素である通信制御装置として基地局を用いる例を示したが、通信制御装置として基地局制御局（ＰＣＦ：Packet Control Function ）を用いる場合も、上述した基地局の構成および機能に相当するものを基地局制御局に搭載することにより、基地局において実現している本発明特有の処理（ＱｏＳリソースの割り当て処理等）を基地局制御局において実現することができる。
【００４９】
図１５は、本発明の第２実施形態の移動体通信システムにおいて、通信制御装置として用いられる基地局制御局（ＰＣＦ）２００の構成を示すブロック図である。基地局制御局（ＰＣＦ）２００は、通信インターフェース２１０、システム制御部２５０およびシステム記憶部２８０等を有している。システム制御部２５０は、基地局割当部（割当手段）２５０ａ、ＱｏＳリソース割当部（ＱｏＳリソース割当手段）２５０ｂおよび基地局割当制御部（制御手段）２５０ｃを有しており、システム記憶部２８０は、端末情報記憶部（管理手段）２８０ａおよびＱｏＳリソース記憶部（ＱｏＳリソース管理手段）２８０ｂを有している。
【００５０】
通信インターフェース２１０は、基地局や上位局（ＰＤＳＮ）等の装置とデータを送受信する。
【００５１】
システム制御部２５０は、基地局制御局（ＰＣＦ）２００の各部を統括して制御する制御部である。基地局割当部２５０ａは、基地局が無線通信端末から該無線通信端末の受信状況を報告するRoute Updateメッセージを受信すると、このメッセージの情報を基地局から受信し、この情報に基づいてハンドオフ可能な基地局またはセクタ（ＡｃｔｉｖｅＳｅｔ）を該無線通信端末に割り当て、ＱｏＳリソース割当部２５０ｂは、基地局が無線通信端末からＱｏＳの設定要求を受信すると、該ＱｏＳの設定要求に応じてＱｏＳリソースを割り当てる。
【００５２】
基地局割当制御部２５０ｃは、基地局が新たに無線通信端末からＱｏＳの設定要求を受信した際、ＱｏＳリソース記憶部２８０ｂで管理しているその基地局のＱｏＳリソースに基づいて、ＱｏＳの設定要求に対するＱｏＳリソースの割り当てが十分でない（不足している）と判断した場合、端末情報記憶部２８０ａで管理している無線通信端末の中から、ＱｏＳリソースを割り当てているが、ＱｏＳを利用した通信を行っていない無線通信端末に割り当てているハンドオフ可能な基地局またはセクタ（ＤＲＣＣｏｖｅｒが当該基地局を示していない基地局）を検索し、その検索結果の基地局が上記基地局である無線通信端末から上記基地局を解放するように制御する。また、基地局割当制御部２５０ｃは、端末情報記憶部２８０ａで管理している無線通信端末の中から、ＱｏＳリソースを割り当てているが、ＱｏＳを利用した通信を行っていない無線通信端末のうち、所定の閾値よりも高いＱｏＳレートを割り当てている無線通信端末に割り当てているハンドオフ可能な基地局またはセクタ（ＤＲＣＣｏｖｅｒが当該基地局を示していない基地局）を検索し、その検索結果の基地局が上記基地局である無線通信端末から上記基地局を解放するようにしてもよい。
【００５３】
システム記憶部２８０は、ＲＡＭ等のメモリによって構成され、アプリケーションプログラムや一時的なデータ等を保存するものである。端末情報記憶部２８０ａは、無線通信端末毎に基地局割当部２５０ａが割り当てている通信可能な基地局またはセクタ、およびＱｏＳリソース割当部２５０ｂが割り当てているＱｏＳリソースを管理する。また、ＱｏＳリソース記憶部２８０ｂは、ＱｏＳリソース割当部２５０ｂが割り当てている全体のＱｏＳリソースを管理する。
【００５４】
図１６は、基地局制御局（ＰＣＦ）の動作を説明するフローチャートである。基地局制御局（ＰＣＦ）は、無線通信端末から基地局にAttribute Update RequestメッセージによりＱｏＳの設定要求があると（ステップ４０１）、ＱｏＳリソース記憶部２８０ｂで管理しているその基地局のＱｏＳリソースに基づいて、高レートのＱｏＳ割り当てが可能か否かを判定し（ステップ４０２）、高レートのＱｏＳ割り当てが可能であれば、ＱｏＳを要求した無線通信端末に高レートのＱｏＳを割り当てる（ステップ４０３）。ステップ４０２において、高レートのＱｏＳ割り当てが不可能であれば、端末情報記憶部２８０ａから、その基地局において、Ａｓｅｔに割り当てられた基地局が複数ある無線通信端末を検索し（ステップ４０４）、基地局が複数ある無線通信端末の有無を判定する（ステップ４０５）。ステップ４０５において、Ａｓｅｔに割り当てられた基地局が複数ある無線通信端末を発見したならば、端末情報記憶部２８０ａで管理している無線通信端末の中に、ＱｏＳリソースを割り当てているが、ＱｏＳを利用した通信を行っていない無線通信端末あるか否かを判定する（ステップ４０６）。ステップ４０６において、ＱｏＳリソースを割り当てているが、ＱｏＳを利用した通信を行っていない無線通信端末を発見したならば、当該無線通信端末のＡｓｅｔからその基地局またはセクタを外して、ＱｏＳを利用した通信を行っていない無線通信端末のＱｏＳリソースを開放する（ステップ４０７）。そして、ＱｏＳを要求した無線通信端末に高レートのＱｏＳを割り当てる（ステップ４０３）。ステップ４０５において、Ａｓｅｔに割り当てられた基地局が複数ある無線通信端末を発見できなかったならば、またはステップ４０６において、ＱｏＳを利用していない無線通信端末を発見できなかったならば、低レートのＱｏＳ割り当てが可能か否かを判定し（ステップ４０８）、低レートのＱｏＳ割り当てが可能であれば、ＱｏＳを要求した無線通信端末に低レートのＱｏＳを割り当てる（ステップ４０９）。ステップ４０８において、低レートのＱｏＳ割り当てが不可能であれば、ＱｏＳを要求した無線通信端末のＱｏＳの設定要求を拒否する（ステップ４１０）。
【００５５】
図１７は、本発明の第３実施形態の移動体通信システムにおいて、通信制御装置として用いられる基地局３００の構成を示すブロック図である。基地局３００は、アンテナ３１０の他に、ＥＶ−ＤＯ用ＲＦ部３３０、ＲＦ制御部３４０、システム制御部３５０およびシステム記憶部３８０等を有しており、ＲＦ制御部３４０は、受信部３４０ａおよび送信部３４０ｂを有しており、システム制御部３５０は、基地局割当部（割当手段）３５０ａ、ＱｏＳリソース割当部（ＱｏＳリソース割当手段）３５０ｂおよび基地局割当制御部（制御手段）３５０ｃを有しており、システム記憶部３８０は、端末情報記憶部（管理手段）３８０ａおよびＱｏＳリソース記憶部（ＱｏＳリソース管理手段）３８０ｂを有している。なお、ＰＣＦや他の基地局等への接続図については省略している。
【００５６】
ＥＶ−ＤＯ用ＲＦ部３３０は、ＥＶ−ＤＯシステムで送信するデータを高周波信号に変換してアンテナ３１０から送信したり、アンテナ３１０から入力されたデータを高周波信号に変換したりするものである。
【００５７】
ＲＦ制御部３４０は、ＥＶ−ＤＯシステムの通信（送受信）を制御したり、アンテナで受信した無線通信端末からの電波の強度（ＲＳＳＩ等）を測定したりするものである。また、ＥＶ−ＤＯ用ＲＦ部３３０から入力される高周波信号およびＥＶ−ＤＯ用ＲＦ部３３０へ出力する高周波信号に対応して受信部３４０ａおよび送信部３４０ｂとして機能する。また、無線通信端末からＱｏＳの設定要求を受信する。
【００５８】
システム制御部３５０は、基地局３００の各部を統括して制御する制御部である。基地局割当部３５０ａは、無線通信端末から該無線通信端末の受信状況を報告するRoute Updateメッセージに基づいて通信チャネルを該無線通信端末に割り当て、ＱｏＳリソース割当部３５０ｂは、無線通信端末からＱｏＳの設定要求を受信すると、該ＱｏＳの設定要求に応じてＱｏＳリソースを割り当てる。
【００５９】
基地局割当制御部３５０ｃは、新たに無線通信端末からＱｏＳの設定要求を受信した際、ＱｏＳリソース記憶部３８０ｂで管理している基地局全体のＱｏＳリソースに基づいて、ＱｏＳの設定要求に対するＱｏＳリソースの割り当てが十分でないと判断した場合、端末情報記憶部３８０ａで管理している無線通信端末の中から、ＱｏＳリソースを割り当てているが、ＱｏＳを利用した通信を行っていない無線通信端末の通信チャネルまたはＱｏＳリソースを解放するように制御する。また、基地局割当制御部３５０ｃは、端末情報記憶部３８０ａで管理している無線通信端末の中から、ＱｏＳリソースを割り当てているが、ＱｏＳを利用した通信を行っていない無線通信端末のうち、所定の閾値よりも高いＱｏＳレートを割り当てている無線通信端末に割り当てているハンドオフ可能な基地局またはセクタ（ＤＲＣＣｏｖｅｒが当該基地局を示していない基地局）を解放するようにしてもよい。
【００６０】
システム記憶部３８０は、ＲＡＭ等のメモリによって構成され、アプリケーションプログラムや一時的なデータ等を保存するものである。端末情報記憶部３８０ａは、無線通信端末毎にＱｏＳリソース割当部３５０ｂが割り当てているＱｏＳリソースを管理する。また、ＱｏＳリソース記憶部３８０ｂは、ＱｏＳリソース割当部３５０ｂが割り当てている基地局全体のＱｏＳリソースを管理する。
【００６１】
図１８は、基地局の動作を説明するフローチャートである。基地局は、無線通信端末から基地局にAttribute Update RequestメッセージによりＱｏＳの設定要求があると（ステップ５０１）、ＱｏＳリソース記憶部３８０ｂで管理している基地局全体のＱｏＳリソースに基づいて、高レートのＱｏＳ割り当てが可能か否かを判定し（ステップ５０２）、高レートのＱｏＳ割り当てが可能であれば、ＱｏＳを要求した無線通信端末に高レートのＱｏＳを割り当てる（ステップ５０３）。ステップ５０２において、高レートのＱｏＳ割り当てが不可能であれば、端末情報記憶部２８０ａで管理している無線通信端末の中に、ＱｏＳリソースを割り当てているが、ＱｏＳを利用した通信を行っていない無線通信端末あるか否かを判定する（ステップ５０４）。ステップ５０４において、ＱｏＳリソースを割り当てているが、ＱｏＳを利用した通信を行っていない無線通信端末を発見したならば、当該無線通信端末の通信チャネルまたはＱｏＳリソースを開放する（ステップ５０５）。そして、ＱｏＳを要求した無線通信端末に高レートのＱｏＳを割り当てる（ステップ５０３）。ステップ５０４において、ＱｏＳリソースを割り当てているが、ＱｏＳを利用した通信を行っていない無線通信端末を発見できなかったならば、低レートのＱｏＳ割り当てが可能か否かを判定し（ステップ５０６）、低レートのＱｏＳ割り当てが可能であれば、ＱｏＳを要求した無線通信端末に低レートのＱｏＳを割り当てる（ステップ５０７）。ステップ５０６において、低レートのＱｏＳ割り当てが不可能であれば、ＱｏＳを要求した無線通信端末のＱｏＳの設定要求を拒否する（ステップ５０８）。
【図面の簡単な説明】
【００６２】
【図１】本発明の第１実施形態の移動体通信システムにおいて、通信制御装置として用いる基地局の構成を示すブロック図である。
【図２】基地局ＡＮαの通信可能エリア内部の無線通信端末ＡＴ２から、高レートのＱｏＳ要求を伴う新たな呼接続要求があった場合を説明する図である。
【図３】無線通信端末ＡＴ１を基地局ＡＮβにハンドオフさせることを説明する図である。
【図４】無線通信端末ＡＴ２のために高レートのＱｏＳを割り当てることを説明する図である。
【図５】無線通信端末ＡＴ２と無線通信端末ＡＴ１と基地局ＡＮαと基地局ＡＮβの動作を説明するシーケンス図である。
【図６】基地局ＡＮαの動作を説明するフローチャートである。
【図７】無線通信端末ＡＴ１が、基地局ＡＮαおよび基地局ＡＮβの双方と通信可能な状態であることを示す図である。
【図８】ハンドオフにより無線通信端末ＡＴ２のＡｓｅｔに基地局ＡＮβを追加されたことを説明する図である。
【図９】無線通信端末ＡＴ１を基地局ＡＮαにハンドオフさせることを説明する図である。
【図１０】無線通信端末ＡＴ２のために高レートのＱｏＳを割り当てることを説明する図である。
【図１１】無線通信端末ＡＴ２と無線通信端末ＡＴ１と基地局ＡＮαと基地局ＡＮβの動作を説明するシーケンス図である。
【図１２】基地局ＡＮαの動作を説明するフローチャートである。
【図１３】基地局ＡＮβの動作を説明するフローチャートである。
【図１４】端末管理テーブルの一例を示す図である。
【図１５】本発明の第２実施形態の移動体通信システムにおいて、通信制御装置として用いられる基地局制御局（ＰＣＦ）の構成を示すブロック図である。
【図１６】基地局制御局（ＰＣＦ）の動作を説明するフローチャートである。
【図１７】本発明の第３実施形態の移動体通信システムにおいて、通信制御装置として用いられる基地局の構成を示すブロック図である。
【図１８】基地局の動作を説明するフローチャートである。
【図１９】移動体通信システムの構成例を示す図である。
【図２０】無線通信端末ＡＴ２に低レートのＱｏＳを割り当てたときの状態を示す図である。
【図２１】無線通信端末ＡＴ２のＱｏＳ要求を拒否したときの状態を示す図である。
【図２２】基地局ＡＮαの動作を説明するフローチャートである。
【図２３】無線通信端末ＡＴ２に低レートのＱｏＳを割り当てるときの無線通信端末ＡＴ２と基地局ＡＮαの動作を説明するシーケンス図である。
【図２４】無線通信端末ＡＴ２のＱｏＳ要求を拒否するときの無線通信端末ＡＴ２および基地局ＡＮαの動作を説明するシーケンス図である。
【図２５】無線通信端末ＡＴ２がハンドオフしたときに無線通信端末ＡＴ２に低レートのＱｏＳを割り当てたときの状態を示す図である。
【図２６】無線通信端末ＡＴ２のＱｏＳ要求を拒否したときの状態を示す図である。
【図２７】基地局ＡＮβの動作を説明するフローチャートである。
【図２８】基地局ＡＮαの動作を説明するフローチャートである。
【図２９】無線通信端末ＡＴ２に低レートのＱｏＳを割り当てるときの無線通信端末ＡＴ２と基地局ＡＮαと基地局ＡＮβの動作を説明するシーケンス図である。
【図３０】無線通信端末ＡＴ２のＱｏＳ要求を拒否するときの無線通信端末ＡＴ２と基地局ＡＮαと基地局ＡＮβの動作を説明するシーケンス図である。
【符号の説明】
【００６３】
１００，２００，３００  基地局
１１０，３１０  アンテナ
１３０，３３０  ＥＶ−ＤＯ用ＲＦ部
１４０，３４０  ＲＦ制御部
１４０ａ，３４０ａ  受信部
１４０ｂ，３４０ｂ  送信部
１５０，２５０，３５０  システム制御部
１５０ａ，２５０ａ，３５０ａ  基地局割当部
１５０ｂ，２５０ｂ，３５０ｂ  ＱｏＳリソース割当部
１５０ｃ，２５０ｃ，３５０ｃ  基地局割当制御部
１８０，２８０，３８０  システム記憶部
１８０ａ，２８０ａ，３８０ａ  端末情報記憶部
１８０ｂ，２８０ｂ，３８０ｂ  ＱｏＳリソース記憶部
２１０  通信インターフェース
【図１】
2008252372.tif 000003
【図２】
2008252372.tif 000004
【図３】
2008252372.tif 000005
【図４】
2008252372.tif 000006
【図５】
2008252372.tif 000007
【図６】
2008252372.tif 000008
【図７】
2008252372.tif 000009
【図８】
2008252372.tif 000010
【図９】
2008252372.tif 000011
【図１０】
2008252372.tif 000012
【図１１】
2008252372.tif 000013
【図１２】
2008252372.tif 000014
【図１３】
2008252372.tif 000015
【図１４】
2008252372.tif 000016
【図１５】
2008252372.tif 000017
【図１６】
2008252372.tif 000018
【図１７】
2008252372.tif 000019
【図１８】
2008252372.tif 000020
【図１９】
2008252372.tif 000021
【図２０】
2008252372.tif 000022
【図２１】
2008252372.tif 000023
【図２２】
2008252372.tif 000024
【図２３】
2008252372.tif 000025
【図２４】
2008252372.tif 000026
【図２５】
2008252372.tif 000027
【図２６】
2008252372.tif 000028
【図２７】
2008252372.tif 000029
【図２８】
2008252372.tif 000030
【図２９】
2008252372.tif 000031
【図３０】
2008252372.tif 000032